(57)【要約】      （修正有）【課題】都市公園等に設置されている遊具の点検作業は、多数の点検項目があるため、効率的な点検管理を行うことが可能なシステムの提供。【解決手段】点検支援アプリケーションがインストールされたＰＣ１０には点検支援データベースが記録されている。その記録されたデータに基づき作成される点検用情報は各種端末２１〜２４において閲覧及び上書き可能な保存形式で作成されており、点検従事者は実際の点検作業を即座に端末から入力し、点検済情報を生成することができる。これに基づき速やかに報告書類の作成を行うことが可能となる。【選択図】図１
2012185754.tif 000002
【特許請求の範囲】
【請求項１】
都市公園その他の公園に設置された遊具その他公園施設の点検作業支援システムであって、
前記点検作業支援システムは、情報処理装置と、一又は複数の端末とを少なくとも含み、
前記情報処理装置は少なくとも、
遊具に応じた点検項目情報を記憶する点検項目情報記憶手段と、
公園の住所・遊具の種類及び点数等の公園情報を記憶する公園情報記憶手段と、
外部からの指示に基づき、前記公園情報記憶手段及び点検項目記憶手段から所定の公園情報及び点検項目情報を点検用情報として生成する点検用情報生成手段と、
外部からの指示に基づき、前記点検用情報を出力する点検用情報出力手段と、
外部からの指示に基づき、前記端末から出力された点検済情報を記憶する点検済情報記憶手段と、
前記点検済情報を編集する点検済情報編集手段とを有し、
前記端末は少なくとも、
前記情報処理装置から出力された前記点検用情報を記憶する点検用情報記憶手段と、
前記記憶された点検用情報を表示する点検用情報表示手段と、
外部からの指示に基づき、公園に設置された遊具の状況に関する遊具状況情報を入力する遊具状況情報入力手段と、
前記遊具状況情報と前記点検用情報とを紐付けて前記点検済情報を生成する点検済情報生成手段とを有することを特徴とする、点検作業支援システム。
【請求項２】
前記遊具状況情報入力手段は、外部からの指示に基づき、前記点検用情報表示手段によって表示される点検用情報に補充する形式で入力可能であることを特徴とする、請求項１に記載の点検作業支援システム。
【請求項３】
前記点検済情報生成手段は、外部からの指示に基づき、前記点検用情報表示手段によって表示される点検用情報に遊具状況情報を入力することで点検済情報を生成することを特徴とする、請求項１又は請求項２のいずれかに記載の点検作業支援システム。
【請求項４】
前記端末には、予め擬似ＤＡＴファイルが作成されており、前記点検用情報記憶手段は前記点検用情報を当該擬似ＤＡＴファイルに上書き保存することを特徴とする、請求項１ないし請求項３のいずれかに記載の点検作業支援システム。
【請求項５】
前記点検済情報記憶手段は、記憶する前記点検済情報に含まれるログインユーザデータ及び＼更新日付データに基づいてフォルダを作成し記憶することを特徴とする、請求項１ないし請求項４のいずれかに記載の点検作業支援システム。
【発明の詳細な説明】
【技術分野】
【０００１】
本発明は、公園の遊具の安全性の関する点検作業を行うにあたっての点検結果の入力、集積、報告の作業負荷を軽減させるシステムに関する。
【背景技術】
【０００２】
都市公園（都市公園法（昭和３１年４月２０日法律第７９号）第２条第１項）に設置されている遊具は、その設置者である地方公共団体又は国が管理を行っている。「都市公園における遊具の安全確保に関する指針」（平成２０年８月２６日改定）によれば、「都市公園における遊び場の安全性を一層高めるためには、子どもの遊びの特性や
遊具に係る事故等を踏まえ、（中略）、公園管理者において適切な安全措置を講ずることが必要」である旨謳われている。
【０００３】
上記「指針」の改定にあたって公園管理者や遊具メーカー等にヒアリングが行われているが、遊具の安全点検等の実情を巡っては以下の問題がある旨指摘がなされていた。
（ａ）遊具の設置期間の長短に関わらず同じ水準で管理している
（ｂ）小規模な市町村ほど、管理している遊具の老朽化が進展している
（ｃ）安全点検や修繕履歴など、維持管理の記録が十分になされていない。
【０００４】
こうした事実を踏まえ、上記「指針」においては安全点検の視点を明確化し、遊具の材料特性や種類に応じた点検、或いは構造部材や消耗部材の点検に至り精緻な点検作業を行うべき旨述べられている。また適切かつ確実な安全点検を実施するために予め「点検記録書」を作成し点検ごとの結果を記録し保管することの重要性が指摘されている。更には点検後の修繕や部材の交換等の具体的に実施した措置の履歴を記録し遊具ごとに保管するものとして「遊具履歴書」を導入する旨述べている。
【０００５】
このように、配慮すべき安全上の管理点検項目は増加していくが、これを実際に運用するにあたっての人的リソースには限りがあり、効率的な運用を支援するシステムが望まれる。同じ客体である公園に設置された遊具等の点検管理システムとしては特許文献１に開示されたものが見られるが、その具体的内容は「ＣＤ−ＲＯＭにおける点検マニュアルの作成」にとどまっており、切迫するマンパワー不足を解消する有益な手段とは言えない。また客体は異なるものの、道路構造物の管理システムについては特許文献２に言及がある。しかし都市公園の遊具における安全性管理に対する適合性があるシステムではない。すなわち特許文献２に開示のシステムにおいては、予算制約に基づき修繕すべき道路構造物の優先順位を決定することのできる管理システムが開示されている。
【先行技術文献】
【特許文献】
【０００６】
【特許文献１】特開２００７−１９５９２６
【特許文献２】特許第４４４０６２８号
【発明の概要】
【発明が解決しようとする課題】
【０００７】
そこで本発明は、都市公園に設置されている遊具等の点検作業において配慮すべき安全上の管理点検項目の増加に対し、効率的に点検作業を実行することを支援するシステムを提供することを課題とする。
【課題を解決するための手段】
【０００８】
上記課題を解決すべく、本発明に係るシステムは以下の構成を有する。
【０００９】
（１）本発明に係る点検作業支援システムは、都市公園その他の公園に設置された遊具その他公園施設の点検作業支援システムであって、前記点検作業支援システムは、情報処理装置と、一又は複数の端末とを少なくとも含み、前記情報処理装置は少なくとも、遊具に応じた点検項目情報を記憶する点検項目記憶手段と、公園の住所・遊具の種類及び点数等の公園情報を記憶する公園情報記憶手段と、外部からの指示に基づき、前記公園情報記憶手段及び点検項目記憶手段から所定の公園情報及び点検項目情報を点検用情報として生成する点検用情報生成手段と、外部からの指示に基づき、前記点検用情報を出力する点検用情報出力手段と、外部からの指示に基づき、前記端末から出力された点検済情報を記憶する点検済情報記憶手段と、前記点検済情報を編集する点検済情報編集手段とを有し、前記端末は少なくとも、前記情報処理装置から出力された前記点検用情報を記憶する点検用情報記憶手段と、前記記憶された点検用情報を表示する点検用情報表示手段と、外部からの指示に基づき、公園に設置された遊具の状況に関する遊具状況情報を入力する遊具状況情報入力手段と、前記遊具状況情報と前記点検用情報とを紐付けて前記点検済情報を生成する点検済情報生成手段とを有することを特徴とする（請求項１）。
【００１０】
（２）また本発明に係る点検作業支援システムにおいては、遊具状況情報入力手段は、外部からの指示に基づき、前記点検用情報表示手段によって表示される点検用情報に補充する形式で入力可能であるよう構成することもできる（請求項２）。或いは、点検済情報生成手段を、外部からの指示に基づき、前記点検用情報表示手段によって表示される点検用情報に遊具状況情報を入力することで点検済情報を生成するよう構成しても良い（請求項３）。
【００１１】
（３）また、端末に予め擬似ＤＡＴファイルを作成しておき、点検用情報記憶手段が点検用情報を当該擬似ＤＡＴファイルに上書き保存することを特徴とすることもできる（請求項４）。
【００１２】
（４）また、点検済情報記憶手段は、記憶する点検済情報に含まれるログインユーザデータ及び＼更新日付データに基づいてフォルダを作成し記憶するよう構成することができる（請求項５）。
【発明の効果】
【００１３】
請求項１記載の点検作業支援システムによれば、実際の点検作業、すなわち実際に遊具等が設置された公園における目視・触診・負荷確認或いは測定等の作業にあたって、点検作業従事者は予め情報処理装置から出力された点検用情報を記憶した端末を持参していくだけで、容易に点検結果の記録を行うことができる。
【００１４】
より具体的には、点検前の準備作業の段階においても、情報処理装置から点検対象となる公園に関する情報及び設置されている遊具に関する情報を予め作業従事者の端末に出力しておけばよく、準備作業の簡素化が実現できる。また実地における点検作業時にも、従来であれば紙媒体等に出力した点検シートに記入するといった作業が発生していたところ、屋外でこうした作業を行うことは悪天候や強風の場合困難を伴っていたところ、端末のみ持参していればよく、作業そのものの効率も向上する。加えて点検済情報の集約編集にあたって、従来は現場の作業従事者が作成してきた紙媒体等の情報を改めて情報処理装置に入力する作業が発生していた。これは非効率であっただけでなく、一日の点検作業で複数の公園について行うことが通常であり、また遊具の画像データなどの取り違えが発生する可能性もあった。しかし本発明の点検作業支援システムによれば、テキストデータ、画像データも日付・時刻によって一元的に管理できるようになり、効率的かつミスの生じにくい作業を実現することが可能となる。
【００１５】
また請求項２或いは請求項３記載の点検作業支援システムによれば、作業従事者による点検結果の入力が容易化される。
【００１６】
ここで、「情報処理装置」として一般的にはＰＣ或いはサーバコンピュータが適用可能であり、「端末」としては携帯電話、タブレット型ＰＣ、スマートフォンその他の情報携帯端末であって本発明における各手段を実現可能な端末を適用可能であるところ、かかる複数のプラットフォーム、とりわけＰＣと携帯電話との間におけるデータの互換性が問題となる。そこで請求項４に記載のように、アプリケーションの別を問わないＤＡＴファイルの形式にて予め端末側に記憶領域を設け、情報処理装置から出力されたデータをこれに上書きする形式をとることにより、異なるプラットフォームの間でも保存形式を選ばずに情報授受を行うことが可能となる。
【００１７】
また、本発明に係る点検作業支援システムに基づいて収集された点検済情報は、爾後の修繕や点検頻度の決定等に有益な情報として時系列に蓄積されることが望ましい。そこで請求項５に記載のように、ログインユーザや更新日付に基づいたフォルダが作成されることにより、かかる情報の活用に資する。また、点検記録書或いは遊具履歴書作成にあたっても作成が容易化される。
【００１８】
本発明における情報処理装置と端末との情報授受の手段は特に問わず、ＬＡＮ等の有線通信回線やＷｉ−Ｆｉその他の無線通信回線でもよく、ＵＳＢ接続等で直接情報処理装置と端末とを接続することで情報授受を行っても良い。またメモリスティック、ＳＤカード、マイクロＳＤ、ＵＳＢメモリその他の揮発性の記録媒体を介してデータの授受を行っても良い。
【００１９】
なお本発明において、「都市公園その他の公園」とは、都市公園法に規定された都市公園に限らず、点検管理対象となる公園全般を意味する。「遊具その他公園施設」とは、すべり台、ぶらんこ、鉄棒その他のいわゆる遊具、或いは砂場など都市公園法に規定された公園施設を主として意味するが、これに限らず点検管理の対象となる公園に設置された施設全般を意味する。
【図面の簡単な説明】
【００２０】
【図１】本発明の一の実施例に係る点検管理システムのシステム構造図である。
【図２】本発明の一の実施例に係る情報処理装置のブロック図である。
【図３】本発明の一の実施例に係る端末のブロック図である。
【図４】本発明の一の実施例に係る情報処理装置内に記録されたＤＢ構成図である。
【図５】メイン画面のスクリーンショットである。
【図６】システム管理メニュー画面のスクリーンショットである。
【図７】検査業者マスタ入力画面のスクリーンショットである。
【図８】製造業者マスタ入力画面のスクリーンショットである。
【図９】ユーザマスタ入力画面のスクリーンショットである。
【図１０】公園マスタ入力画面のスクリーンショットである。
【図１１】公園マスタにおける遊具数登録画面のスクリーンショットである。
【図１２】遊具マスタ入力画面のスクリーンショットである。
【図１３】新たな遊具の登録、変更及び登録された遊具の閲覧を行う遊具情報登録画面のスクリーンショットである。
【図１４】点検項目の登録画面のスクリーンショットである。
【図１５】公園に遊具情報を登録する画面のスクリーンショットである。
【図１６】点検用／点検済データの授受の流れを示す概念図である。
【図１７】点検用データの作成画面のスクリーンショットである。
【図１８】メニュー画面のスクリーンショットである。
【図１９】公園選択画面のスクリーンショットである。
【図２０】公園写真撮影画面のスクリーンショットである。
【図２１】公園情報画面のスクリーンショットである。
【図２２】点検用情報の画面表示イメージである。
【図２３】遊具写真撮影画面のスクリーンショットである。
【図２４】端末から点検済データを登録する画面のスクリーンショットである。
【図２５】点検済データの編集画面のスクリーンショットである。
【図２６】出力される点検記録書のイメージ図である。
【発明を実施するための形態】
【００２１】
以下に実施例を示し、本発明を更に詳述する。なお下記実施例はこれらの実施例によって何ら限定されるものではない。図１は、本発明の一の実施例に係る点検管理システムのシステム構造図である。点検管理システム１は、ＰＣ１０、及び各種端末（スマートフォン２１、携帯電話２２、タブレットＰＣ２３、ＰＤＡ２４）とで構成される。なお端末の種別は特にこれらに限定されるものではなく、またこれらの全てが構成に含まれている必要もない。後述する端末の機能構成を具備している限り、どのようなデバイスでも端末として採用可能であるが、こと本件における使用場面が主として屋外にある公園において、遊具の安全性を点検しながらの使用であることから、携帯性、操作性に優れた端末が望ましい。
【００２２】
ＰＣ１０と各種端末とは、必要に応じて情報の授受を行う。常に通信回線で接続されている必要はなく、適宜記録媒体（例えば、ＳＤカードやＵＳＢメモリなどの揮発性記録媒体）を介して情報の授受を行うことができるインターフェースを備えていればよい。作業従事者は、点検用情報が記録された状態の各種端末を点検現場である各公園に持参し、点検作業を行いつつその結果を記録していく。点検作業完了後、点検済情報をＰＣ１０に登録することで、各公園の遊具点検情報は一元管理される。
【００２３】
次に、図２を用いて、本発明における情報処理装置が備える構成を説明する。図２は、本発明の一の実施例に係る情報処理装置（ＰＣ１０）のブロック図である。ＰＣ１０は、ＣＰＵ１０１、ＲＯＭ１０２、ＲＡＭ１０３、バス１０４、Ｉ／Ｆ１０５、入力手段１０６、表示装置１０７及び大容量記憶装置としてのＨＤＤ１０８を有する。
【００２４】
ＲＯＭ１０２は不揮発性の記憶装置であり、ブートプログラム等の基本プログラムを記憶する。ＲＡＭ１０３は揮発性の記憶装置であり、プログラムやデータを記憶する領域として、或いは、ＣＰＵ１０１による処理に使用しているデータを格納する作業領域として利用される。これらの構成は、バス１０４及びＩ／Ｆ１０５を介して入力手段１０６、表示装置１０７及びＨＤＤ１０８と接続している。
【００２５】
入力手段１０６は、外部の操作者が入力操作を行うためのデバイスであり、具体的にはマウスやキーボードが一般的であるが、これらに限定されない。表示装置１０７は、例えば液晶ディスプレイや、ＣＲＴディスプレイ等の画像を表示する装置である。なお本実施例においてはＰＣ１０の中の一体的な構成として説明しているが、当然これに限定されることはなく、例えば拡張端子（図示しない）を介して外部接続する表示装置であってもよい。
【００２６】
ＨＤＤ１０８は、ＯＳ（オペレーティングシステム）及び各種アプリケーションソフトを読み出し可能に記憶するほか、各種アプリケーションソフトにおける保存データを記憶する。アプリケーションソフトには本発明に係るシステムを具現化するための公園点検支援アプリケーションも当然に含まれる。ＨＤＤ１０８には公園点検支援アプリケーションによって管理される点検支援データベース１０９が記録されている。点検支援データベース１０９は複数のリレーショナル型データベースであり、その構成は後述する。
【００２７】
またＰＣ１０は、Ｉ／Ｆ１０５を介して外部メディアとのデータ授受を行う。例えばＵＳＢポートやＳＤカードスロットが備わっており、外部メディアからＨＤＤ１０８への書き込み及びＨＤＤ１０８から外部メディアへの書き出しが可能である。端末２０は、例えばＵＳＢポートに適合した接続機構を有しているものは直接接続を行い、或いは外部記録媒体を介して、ＰＣ１０との情報の授受を行う。もっとも情報の授受の手段は直接のマウント或いは記録媒体を介在することは必須ではなく、有線／無線通信回線を介したデータの授受であってもよい。
【００２８】
次に図３を用いて、端末２０が備えている構成につき説明する。図３は、本発明の一の実施例に係る端末のブロック図である。図２で示した各構成と基本的にはほぼ異なるところはなく、演算機能を司るＣＰＵ２０１、不揮発性の記憶装置であるＲＯＭ２０２、揮発性の記憶装置であってプログラム、データの格納領域及びＣＰＵ２０１による演算処理のデータの格納領域として機能するＲＡＭ２０３を有する。これらの構成がバス２０４を介して、更にＩ／Ｆ２０５を介して入力手段２０６、表示装置２０７、記憶装置２０８と接続している。なおタブレットＰＣにおけるタッチパネルのように、入力手段２０６と表示装置２０７とが重層的に構成されていても良く、更には拡張端子（図示しない）や無線通信手段を介して入力手段が外部接続されていても良い。図２においても述べたとおり、情報処理装置（ＰＣ１０）との情報の授受を直接のマウント、外部記録媒体を介して、又は有線／無線通信回線を介して行う。外部からの情報、例えばＰＣ１０から受け取る点検用情報は記憶装置２０８に格納される。
【００２９】
次に図４を用いて、点検支援データベース１０９の構成を説明する。点検支援データベース１０９は、検査業者ＤＢ４０１、製造業者ＤＢ４０２、ユーザＤＢ４０３、公園ＤＢ４０４、遊具ＤＢ４０５、点検チェックシート（Ｃ／Ｓ）ＤＢ４０６、及び点検情報ＤＢ４０７から構成される。検査業者ＤＢ４０１、製造業者ＤＢ４０２、ユーザＤＢ４０３はそれぞれ主体に関するマスタファイルであり、公園ＤＢ４０４、遊具ＤＢ４０５、点検チェックシート（Ｃ／Ｓ）ＤＢ４０６はそれぞれ客体に関するマスタファイルである。点検情報ＤＢはこれらのマスタをもとに作成されるトランザクションファイルである。以下において入力画面を参照しつつこれらのＤＢに記録される項目等について説明する。
【００３０】
図５は、点検支援システム１を起動した際にＰＣ１０に表示されるメイン画面のスクリーンショットである。メイン画面においては「遊具情報の登録」「検査対象の公園情報の登録」「端末用データの作成」「検査データのＤＢ取込、修正、帳票出力」「公園写真の登録」「ＤＢメンテナンス」の各メニューが表示されており、行うべき処理に基づいてメニューを選択可能である。マスタデータの登録は「ＤＢメンテナンス」において行われる。「システム管理」のボタンをクリックすると、図６に示すシステム管理画面に遷移する。
【００３１】
図６は、システム管理画面のスクリーンショットである。このメニューでは、上述した各主体及び客体に関するマスタデータの登録処理を選択することができる。「検査業者登録・変更」メニューを選択すると図７に示す検査業者マスタ画面に遷移する。
【００３２】
図７は、公園遊具検査を行う検査業者を登録するための検査業者マスタ画面のスクリーンショットである。複数の検査業者につき、各検査業者毎に業者名、及び電話番号、住所等の連絡先を登録する。各検査業者には検査業者ＩＤが付与される。「表示」ボタンを押すと、登録済の業者が一覧表示される。また新たな検査業者を追加する場合、画面下部の各ボックスに所定の事項を入力し「追加」ボタンとクリックすることで、新たな検査業者ＩＤが付与され登録される。
【００３３】
図６に戻り、次に「製造者名登録・変更」の説明を行う。「製造者名登録・変更」ボタンをクリックすると製造業者マスタ画面が表示される。図８は、公園遊具の製造業者を登録するための製造業者マスタ画面のスクリーンショットである。複数の製造業者につき、各製造業者毎に業者名、及び電話番号、住所等の連絡先を登録する。各製造業者には製造業者ＩＤが付与される。「表示」ボタンを押すと、登録済の業者が一覧表示される。また新たな製造業者を追加する場合、画面下部の各ボックスに所定の事項を入力し「追加」ボタンとクリックすることで、新たな製造業者ＩＤが付与され登録される。
【００３４】
図６に戻り、次に「ユーザー登録・変更」の説明を行う。「ユーザー登録・変更」ボタンをクリックするとユーザマスタ画面が表示される。図９は、点検支援システム１を運用するユーザーを登録するためのユーザマスタ画面のスクリーンショットである。各ユーザーには管理コード、権限、ユーザー名、ユーザーＩＤ、パスワードが定義される。点検支援システム１を運用するために各ユーザーは予め登録を受ける必要がある。ユーザーの属性に応じて「フルアクセス」「点検用データの作成（後述）」「閲覧のみ」といった権限を設定することが可能である。「表示」ボタンを押すと、登録済みのユーザーが一覧表示される。また新たなユーザーを追加登録する場合や既存のユーザーの属性変更を行う場合も本メニューにおいて行う。
【００３５】
図６に戻り、次に「公園情報登録・変更」の説明を行う。「公園情報登録・変更」ボタンをクリックすると公園マスタ画面が表示される。図１０は点検対象である遊具が設置されている公園に関する情報を登録する公園マスタ画面のスクリーンショットである。各公園名及び住所が公園コードと関連付けられて記録される。「表示」ボタンを押すと、登録済みの公園が一覧表示される。また公園名および住所を所定のボックス内に入力し「追加」ボタンを押すと新規に公園が登録される。また既に登録してある公園の情報を変更するには、公園名を入力し「検索」ボタンをクリックすると登録されている情報が呼び出され表示される。これに修正を加えて「更新」ボタンをクリックすることで公園情報の登録が更新される。
【００３６】
登録した公園に設置されている遊具の数を登録するには「遊具数の登録」ボタンをクリックする。「遊具数の登録」ボタンをクリックすると新たなウインドウが開く。図１１は、公園マスタにおける遊具数登録画面のスクリーンショットである。対応する遊具の種類のボックスにプルダウンでその個数を選択し入力する。「登録」ボタンをクリックすることで遊具数登録が完了する。
【００３７】
図６に戻り、次に「遊具登録・変更」の説明を行う。「遊具登録・変更」ボタンをクリックすると遊具マスタ画面が表示される。図１２は点検対象となる遊具に関する情報を登録する遊具マスタ画面のスクリーンショットである。ユーザーは、「表示」ボタンをクリックすることにより登録されている遊具情報の一覧を閲覧することができる。
【００３８】
新たな遊具を登録するときは、「遊具画像テンプレート」「遊具名」「詳細点検チェックシート様式」の各ボックスに所定の入力を行い、「登録」ボタンをクリックする。ここで「遊具画像テンプレート」とは、予め別途保存されている遊具画像を本件マスタ情報と紐付けることにより、例えば特殊な遊具である場合それを視覚的にいかなるものかを確認することができるためのものである。後述する出力帳票の上部に表示される遊具の基本図面が紐付けられる。また「詳細点検チェックシート」とは、各遊具に形状・材料・特性に応じた点検すべき個所及び項目が記されている書式であり、対応する遊具の詳細点検チェックシートを紐付けて登録する。
【００３９】
遊具情報を変更するときは、表示されている遊具コードをクリックする。すると、画面下部の各ボックスに項目内容が表示される。変更したい項目につき上書き入力を行い「変更」ボタンをクリックすると、対象の遊具に関する情報が変更される。
【００４０】
以上が、システム管理画面で行われる処理である。次に、図５に戻り、本システムの各メニューにおける処理を説明する。まず「遊具情報の登録」の説明を行う。「遊具情報」ボタンをクリックすると遊具情報登録画面が表示される。図１３は新たな遊具の登録、変更及び登録された遊具の閲覧を行う遊具情報登録画面のスクリーンショットである。本メニューでは、先に述べたシステム管理で登録済の遊具を選択し、その詳細に関する情報の登録を行うことができる。
【００４１】
ユーザーは遊具名をプルダウンから選択し、登録対象となる遊具を確定する。入力ファイル欄には遊具名に対応する詳細点検チェックシートを選択し入力する。入力ファイルを選択すると、同ファイル内に記録されているシート名がプルダウン形式で選択可能となる。また詳細点検チェックシートの様式は既述の遊具登録で紐付けられたチェックシートが選択表示される。これらの各項目を選択後「抽出」ボタンをクリックすると、画面中断の一覧表に入力内容が表示される。ユーザーは入力内容に間違いないかを確認した上、新規登録又は再登録のいずれかにチェックをつけ「遊具項目の登録」ボタンをクリックする。これにより、遊具情報は登録される。
【００４２】
登録済みの遊具を閲覧したい場合、画面下部の遊具名からプルダウンで選択し「遊具項目の参照」ボタンをクリックする。例えば類似する遊具に関する登録を行う場合に有益である。
【００４３】
一連の遊具情報の登録を終えると、次に点検項目の登録を行う。「点検項目の登録へ」のボタンをクリックすると画面が遷移する。図１４は点検項目の登録画面のスクリーンショットである。画面上部に点検項目の一覧が表示される。編集する行を選択し「新規登録」ボタンをクリックすると「点検項目」欄に点検すべき項目を示す文字列が表示される。その際、大項目は［］書きで表示される。本件の場合検査項目として「ぐらつき」「破損」「変形」「腐食」が、更に別の大項目「［接合部・ボルト］」の検査項目として「緩み」「破損」「腐食」「欠落」が表示されている。登録にあたっては、これらの点検項目ごとに分割して登録する。「点検項目を編集領域に移す」ボタンをクリックすると、右の点検項目編集エリアに、項目ごとに行を生成するかたちで表示される。すべての項目につき分割を行ったあと、「検査項目登録」ボタンをクリックする。すると、登録した項目が下部の検査項目欄に表示される。全ての点検項目が「登録済み」になるまで同作業を繰り返し行い、「終了」ボタンをクリックすると遊具情報登録画面に復帰する。全ての入力が完了したら「終了」ボタンをクリックし、メニュー画面に復帰する。
【００４４】
再び図５に戻り、次に検査対象の公園情報の登録を行う。「環境の登録」ボタンをクリックすると、公園情報の登録画面へと遷移する。図１５は公園情報の登録画面のスクリーンショットである。ユーザーは、公園名をプルダウンで選択する。公園の基本情報は既述の通りシステム管理において入力されている。次に、公園に設置されている遊具にチェックを付し、「遊具の追加」ボタンをクリックする。するとチェックされた遊具に関する詳細情報とともに一覧表示される。
【００４５】
なお、一の公園内に同一種類の遊具が複数ある場合もある。その場合、一覧表示の「遊具名詳細」の欄に判断可能な名称などの注記を行うことができる。登録された遊具に間違いがなければ「遊具決定」ボタンをクリックする。
【００４６】
次に各遊具の製造業者、製造日時、検査会社を登録する。登録する行を選択し、マスタ登録されている製造会社及び検査会社からプルダウンで選択する。製造日付については「ｙｙｙｙｍｍｄｄ」形式で入力する。「登録」ボタンをクリックすると、登録された情報が画面下部に一覧表示される。
【００４７】
このように、マスタデータ及びこれに基づいて遊具が設置されている各公園に関する情報が入力された後、これらに基づいて点検用情報が作成される。図１６は、ＰＣ１０及び端末２０の間で行われる点検用情報５１及び点検済情報５２の授受を示す概念図である。ユーザーはまずＰＣ１０において点検用情報を作成する。作成された点検用情報は記録媒体等を介して端末２０（ここではタブレットＰＣ２３）に記録される。作業従事者はこの点検用情報５１に基づき公園遊具の点検作業を実施し、点検結果を入力する。かくして生成された点検済情報５２は再び記録媒体等を介してＰＣ１０の点検支援データベース１０９に格納される。
【００４８】
図１７は、点検用情報５１の作成画面のスクリーンショットである。ユーザーはまず、点検用情報５１を作成する。公園名をプルダウンで選択し、「検査対象公園の追加」ボタンをクリックする。すると公園情報において登録されている遊具名、対応する様式等が一覧で表示される。複数の公園につき同日に点検作業を行う場合、複数の公園を繰り返し選択し追加する。検査したい公園を全て追加したら「検査用データを作成する」ボタンをクリックする。この処理により、点検用情報５１としてＤＡＴ形式のデータが生成される。
【００４９】
次に生成されたデータを端末２０に転送する。ユーザーは、点検作業に持参する端末２０を直接マウントさせるか、又はＰＣ１０及び端末２０で共用可能な記録媒体（図示しない）をＰＣに接続させたうえで点検用情報の出力先を選択し、データを出力する。
【００５０】
次に、点検用情報を取得した端末２０の側における処理及び操作を説明する。
【００５１】
図１８は、端末２０における遊具点検支援システムアプリケーションの初期メニュー画面のスクリーンショットである。点検従事者は「１：公園検査入力」を選択し確定ボタンを押す。すると画面が公園選択画面に遷移する。図１９は公園選択画面のスクリーンショットである。予め作成されてある点検用情報５１に記録されている公園名が選択可能に画面上に表示される。点検従事者は、自身が点検する公園名を選択した上で「公園撮影」ボタンを押す。
【００５２】
図２０は、公園写真撮影画面のスクリーンショットである。選択された公園名（森町公園）、設置されている遊具（すべり台／ＳＵ−Ｓ、ブランコ／ＢＵ−２）が表示されている。「公園撮影」ボタンを押すと端末２０に備えられたカメラが起動する。点検従事者は公園に設置された遊具をカメラで撮影する。撮影した写真にはコメントを付加することもできる。
【００５３】
図１９に戻り、点検対象となる公園の選択を行い「決定」ボタンを押す。すると公園情報画面へと遷移する。図２１は公園情報画面のスクリーンショットである。この例では「森町公園」の公園情報が表示されている。同公園には「すべり台／ＳＵ−Ｓ」「ブランコ／ＢＵ−２」「健康遊具」「鋼製複合遊具」の４つの遊具が設置されている。点検従事者は目視や触診、打診などで遊具の安全状態の点検を順次行う。まず「すべり台／ＳＵ−Ｓ」を選択して決定ボタンを押す。すると、点検用情報５１に記録された、同遊具に対応した点検項目が画面上に展開表示される。
【００５４】
図２２は、点検用情報の画面表示イメージである。予め点検用情報として点検部位１に「柱」が、点検部位２に「柱（階段部、滑降部の柱を含む）が記録されている。表示量が多い場合、端末画面をスクロールさせて所望の情報を表示させることができる。点検方法として、“目視”“大人２人で押す、ゆする、”のように具体的な点検方法、及び、「柱本体のぐらつき」「破損」「変形」「腐食」等、ＰＣ１０で作成した項目ごとの点検情報が表示されるため、作業従事者はスムーズに点検作業を行うことができる。
【００５５】
点検作業においては、チェック項目ごとに○：問題なし、△：経過観察、×：要修繕の各判定を入力する。△以下の場合、「撮影」ボタンを操作することによりカメラ撮影を行うことが可能であり、対象である不良部位の写真を紐付けて保存することができる。各点検項目についての判定を行った後、総合判定を行う。△・×がない場合「ａ：健全」、△はあるが×はない場合「ｂ：経過観察」、×がある場合「ｃ：要修繕」を選択する。また特記事項があれば所見欄にテキスト入力することが可能である。「確定」ボタンを押すと、次の点検項目に移行する。
【００５６】
図２３は、経過観察以下の点検個所に関する写真を撮影する際の画面のスクリーンショットである。選択した点検個所に関する出力コメントが表示されており、「写真撮影」ボタンを押すとカメラが起動し撮影が可能となる。
【００５７】
以上の入力処理を繰り返し、全ての点検対象遊具について入力を行うことで、点検済情報５２が生成される。
【００５８】
端末２０で生成された点検済情報５２は、ＰＣ１０に取り込まれる。図２４は点検データの登録画面のスクリーンショットである。端末２０を直接ＰＣ１０にマウント、又は記録媒体を介してＰＣ１０に接続することにより、ＰＣ１０から点検済情報５２を認識可能になる。点検済情報５２が格納されたディレクトリを選択し、「データ保存と読込み」ボタンをクリックすると、ＰＣ１０内の記憶領域に点検済情報５２が取り込まれる。データ取込が完了すると、公園名がプルダウンで選択可能となるので、検査の完了した公園名を選択し表示させることができる。所定の公園を選択すると、その公園で点検を行った遊具が一覧表示される。ユーザーは遊具ごとに点検結果の登録を行う。かくして点検済情報５２は点検情報ＤＢ４０７に取り込まれる。
【００５９】
図２５は、点検済情報５２の編集画面のスクリーンショットである。ユーザーは、画面案内に従い、点検時に実施した措置、点検後の記録、総合結果の登録を行う。なお総合結果に関しては、関係各所との協議を前提とする場合もあることから未入力の状態でも登録完了することができる。
【００６０】
全ての遊具について入力及び編集が完了すると、ユーザーは図２４に戻り、帳票の印刷を行う。図２６は出力される点検記録書のイメージ図である。このように、点検用情報５１をＰＣ１０で作成し、点検従事者がこれに直接点検結果を入力することで点検済情報５２を生成し、これを直接ＰＣ１０で吸い上げ、結果がそのまま出力帳票のフォーマットに沿った形で出力されることから、点検作業と報告作業との間で二度手間を解消する事ができ、効率が向上する。
【産業上の利用可能性】
【００６１】
このように、本発明に係る点検作業支援システムによれば、点検作業の効率化、報告書作成や情報管理蓄積の容易化が図られるようになり、作業従事者の負担が軽減することとなる。そのため、実際の点検がより慎重を期して行われるようになり、遊具の安全性の向上が期待できる。
【符号の説明】
【００６２】
１      点検管理システム
１０    ＰＣ
１０１  ＣＰＵ
１０２  ＲＯＭ
１０３  ＲＡＭ
１０４  バス
１０５  Ｉ／Ｆ
１０６  入力手段
１０７  表示装置
１０８  ＨＤＤ
１０９  点検支援データベース
２０    端末
２１    端末（スマートフォン）
２２    端末（携帯電話）
２３    端末（タブレット）
２４    端末（ＰＤＡ）
２０１  ＣＰＵ
２０２  ＲＯＭ
２０３  ＲＡＭ
２０４  バス
２０５  Ｉ／Ｆ
２０６  入力手段
２０７  表示装置
２０８  記憶装置
４０１  検査業者ＤＢ
４０２  製造業者ＤＢ
４０３  ユーザＤＢ
４０４  公園ＤＢ
４０５  遊具ＤＢ
４０６  点検Ｃ／ＳＤＢ
４０７  点検情報ＤＢ
５１    点検用情報
５２    点検済情報
【図１】
2012185754.tif 000003
【図２】
2012185754.tif 000004
【図３】
2012185754.tif 000005
【図４】
2012185754.tif 000006
【図５】
2012185754.tif 000007
【図６】
2012185754.tif 000008
【図７】
2012185754.tif 000009
【図８】
2012185754.tif 000010
【図９】
2012185754.tif 000011
【図１０】
2012185754.tif 000012
【図１１】
2012185754.tif 000013
【図１２】
2012185754.tif 000014
【図１３】
2012185754.tif 000015
【図１４】
2012185754.tif 000016
【図１５】
2012185754.tif 000017
【図１６】
2012185754.tif 000018
【図１７】
2012185754.tif 000019
【図１８】
2012185754.tif 000020
【図１９】
2012185754.tif 000021
【図２０】
2012185754.tif 000022
【図２１】
2012185754.tif 000023
【図２２】
2012185754.tif 000024
【図２３】
2012185754.tif 000025
【図２４】
2012185754.tif 000026
【図２５】
2012185754.tif 000027
【図２６】
2012185754.tif 000028